Podtech/llm-jp-corpus-v4-ja_patent huggingface dataset:
【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
ＹＯ２およびＸ２Ｏ３を含むゼオライト材料を製造するための、有機テンプレートを用いない合成方法であって、前記方法が、
（１）種晶、1種類以上のＹＯ２供給源、1種類以上のＸ２Ｏ３供給源および1種類以上の溶媒を含む混合物を調製する工程；
（２）工程（１）で得られる混合物を結晶化して、ＹＯ２およびＸ２Ｏ３を含むゼオライト材料を結晶化生成物として得る工程
を含み；
Ｙが四価の元素であり、Ｘが三価の元素であり、
工程（２）で得られる母液の少なくとも一部が、ＹＯ２供給源として工程（１）へとリサイクルされる製造方法。
【請求項２】
（３）工程（２）で得られた母液からゼオライト材料の少なくとも一部を分離する単一または複数の工程をさらに含む、請求項１に記載の方法。
【請求項３】
工程（３）において、ゼオライト材料またはその一部が、濾過、遠心分離および／またはデカンテーション法の単一または複数の工程により、母液から分離される、請求項２に記載の方法。
【請求項４】
（４）ゼオライト材料を洗浄する工程、および／または
（５）ゼオライト材料を乾燥および／または焼成する工程、および／または
（６）ゼオライト材料に単一または複数のイオン交換処理を施す工程
の単一または複数の工程をさらに含み、
工程（４）および／または（５）および／または（６）を任意の順番で実行することができる、請求項２または３に記載の方法。
【請求項５】
工程（２）で得られたゼオライト材料の少なくとも一部が、種晶として工程（１）へとリサイクルされる、請求項１から４のいずれか一項に記載の方法。
【請求項６】
工程（２）で得られたゼオライト材料またはその一部が、
（３）工程（２）で得られた母液からゼオライト材料の少なくとも一部を分離する工程、
（４）ゼオライト材料を洗浄する工程、および／または
（５）ゼオライト材料を乾燥および／または焼成する工程
の単一または複数の工程の後で、種晶として工程（１）へとリサイクルされる、請求項５に記載の方法。
【請求項７】
工程（２）で得られるゼオライト材料またはその一部が、種晶として工程（１）へと直接リサイクルされる、請求項５に記載の方法。
【請求項８】
工程（２）の結晶化から得られる反応混合物の少なくとも一部が、種晶として、ＹＯ２供給源として工程（１）へとリサイクルされる、請求項１から７のいずれか一項に記載の方法。
【請求項９】
母液１００質量％に対して、工程（２）で得られる母液に含有される質量割合によるＸの量が、混合物１００質量に対して、工程（１）で得られ、工程（２）で結晶化される前記混合物に含有される1種類以上のＸ２Ｏ３供給源のＸの質量割合(質量基準）の量の５０％以下に等しい、請求項１から８のいずれか一項に記載の方法。
【請求項１０】
工程（２）で得られる母液のＹ：Ｘのモル比と、工程（１）で得られ、工程（２）で結晶化される混合物中に含有される1種類以上のＹＯ２供給源および1種類以上のＸ２Ｏ３供給源のＹ：Ｘのモル比の比が、２以上である、請求項１から９のいずれか一項に記載の方法。
【請求項１１】
種晶が、有機テンプレートを用いない合成方法により得ることができ、かつ／または得られるＹＯ２およびＸ２Ｏ３を含む1種類以上のゼオライト材料を含み、Ｙが四価の元素であり、Ｘが三価の元素である、請求項１から１０のいずれか一項に記載の方法。
【請求項１２】
工程（１）で得られる種晶が、ＬＥＶ、ＢＥＡ、ＭＦＩ、ＥＲＩ、およびそれらの２つ以上の組み合わせからなる群から選択される骨格構造を有する1種類以上のゼオライト材料を含む、請求項１から１１のいずれか一項に記載の方法。
【請求項１３】
ＬＥＶ骨格構造を有する種晶に含まれる1種類以上のゼオライト材料が、レビナイト、ＬＺ−１３２、ＮＵ−３、ＲＵＢ−１、ＳＡＰＯ−３５、ＺＫ−２０、ＺＳＭ−４５、ＲＵＢ−５０、およびそれらの２つ以上の混合物からなる群から選択される1種類以上のゼオライトを含む、請求項１２に記載の方法。
【請求項１４】
ＢＥＡ骨格構造を有する種晶に含まれる1種類以上のゼオライト材料が、βゼオライト、［Ｂ−Ｓｉ−Ｏ］−ＢＥＡ、［Ｇａ−Ｓｉ−Ｏ］−ＢＥＡ、［Ｔｉ−Ｓｉ−Ｏ］−ＢＥＡ、Ａｌリッチβ、ＣＩＴ−６、ツァーニック沸石、およびそれらの２つ以上の混合物からなる群から選択される1種類以上のゼオライトを含む、請求項１２に記載の方法。
【請求項１５】
工程（１）および（２）が、１回または複数回繰り返される、請求項１から１４のいずれか一項に記載の方法。
【請求項１６】
Ｙが、Ｓｉ、Ｓｎ、Ｔｉ、Ｚｒ、Ｇｅ、およびそれらの２つ以上の混合物からなる群から選択される、請求項１から１５のいずれか一項に記載の方法。
【請求項１７】
Ｘが、Ａｌ、Ｂ、Ｉｎ、Ｇａ、およびそれらの２つ以上の混合物からなる群から選択される、請求項１から１６のいずれか一項に記載の方法。
【請求項１８】
１種類以上のＹＯ２供給源が、１種類以上のシリカおよび／またはシリケートである、請求項１から１７のいずれか一項に記載の方法。
【請求項１９】
１種類以上のＸ２Ｏ３供給源が、１種類以上のアルミン酸塩である、請求項１から１８のいずれか一項に記載の方法。
【請求項２０】
工程（１）による混合物のＹＯ２：Ｘ２Ｏ３モル比が０．５から３００の範囲である、請求項１から１９のいずれか一項に記載の方法。
【請求項２１】
工程（１）による混合物における種晶の量が、少なくとも１つのＹＯ２供給源におけるＹＯ２１００質量％に対して、０．０１から３０質量％の範囲である、請求項１から２０のいずれか一項に記載の方法。
【請求項２２】
工程（１）による混合物における1種類以上の溶媒が、水を含む、請求項１から２１のいずれか一項に記載の方法。
【請求項２３】
工程（１）による混合物のＨ２Ｏ：ＹＯ２モル比が、５から２００の範囲である、請求項２２に記載の方法。
【請求項２４】
工程（２）における結晶化が、混合物の加熱を伴う、請求項１から２３のいずれか一項に記載の方法。
【請求項２５】
工程（２）における結晶化が、ソルボサーマル条件下で実行される、請求項２４に記載の方法。
【請求項２６】
工程（２）における結晶化が、５から２００時間にわたる混合物の加熱を伴う、請求項２４または２５に記載の方法。
【請求項２７】
工程（２）における結晶化が、混合物をかき混ぜることを伴う、請求項１から２６のいずれか一項に記載の方法。
【請求項２８】
請求項１から２７のいずれか一項に記載の方法により得ることができ、かつ／または得られる、合成有機テンプレートを伴わないゼオライト材料。
【請求項２９】
触媒、触媒担体および／または吸着剤としての、請求項２８に記載の、有機テンプレートを含まないゼオライト材料の分子ふるいとしての使用法。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
エクトイン、ヒドロキシエクトインおよび／またはそれら化合物の塩、エステルまたはアミドを含む、炎症に関与する細胞への抗アポトーシスシグナルを抑制するための組成物。
【請求項２】
前記炎症に関与する細胞が、好中性顆粒球、マクロファージ、好酸性顆粒球、好塩基性顆粒球、肥満細胞、リンパ球、類上皮細胞、および樹枝状細胞からなる群より選択される、請求項１記載の組成物。
【請求項３】
前記抗アポトーシスシグナルの抑制が、炎症の治療または予防において生じる、請求項１または２記載の組成物。
【請求項４】
前記炎症が慢性炎症である、請求項３記載の組成物。
【請求項５】
前記炎症が、肺炎、喘息、慢性閉塞性肺疾患、ＡＲＤＳ、嚢胞性線維症、肺線維症、珪肺症、サルコイドーシス、アレルギー、または気管支過敏性に関係する、請求項３または４記載の組成物。
【請求項６】
少なくともコルチコステロイドを含む、請求項１から５いずれか１項記載の組成物。
【請求項７】
前記コルチコステロイドがグルココルチコイドである、請求項６記載の組成物。
【請求項８】
前記グルココルチコイドが、デキサメタゾン、ブデソニド、ベタメタゾン、トリアムシノロン、フルオコルトロン、メチルプレドニゾロン、デフラザコート、プレドニゾロン、プレドニゾン、クロプレドノール、コルチゾン、ヒドロコルチゾン、フルオコルチン、クロコルトロン、クロベタゾン、アルクロメタゾン、フルメタゾン、フルオプレドニデン、フルオランドレノロン、プロドニカルベート、モメタゾン、メチルプレドニゾロン、フルチカゾン、ハロメタゾン、フルオシノロン、ジフロラゾン、デスオキシメタゾン、フルオシノニド、フルドロコルチゾン、デフラザコート、リメキソロン、クロプレドノール、アムシノニド、ハルシノニド、ジフルコルトロン、クロベタゾール、もしくはそれら化合物の内の１つの塩、エステル、アミド、溶媒和物または水和物である、請求項７記載の組成物。
【請求項９】
エクトイン、ヒドロキシエクトインおよび／またはそれら化合物の塩、エステルまたはアミドを含む、浮遊粒子状物質の影響に起因する肺疾患を除く肺疾患の治療または予防のための組成物。
【請求項１０】
エクトイン、ヒドロキシエクトインおよび／またはそれらの化合物の塩、エステルまたはアミド、並びにコルチコステロイドを含む、肺疾患の予防および／または治療に適用するための組成物。
【請求項１１】
前記肺疾患が、肺炎、慢性閉塞性肺疾患、喘息、ＡＲＤＳ、嚢胞性線維症、肺線維症、珪肺症、サルコイドーシス、アレルギー、または気管支過敏性である、請求項９または１０記載の組成物。
【請求項１２】
吸入可能な組成物である、請求項１から１１いずれか１項記載の組成物。
【請求項１３】
肺疾患の予防および／または治療に適用するための組成物の配合剤であって、
・  エクトイン、ヒドロキシエクトインおよび／またはそれら化合物の塩、エステルまたはアミドを含む第１の組成物、および
・  コルチコステロイドを含む第２の組成物、
を少なくとも含み、該組成物が短期間で投与するために提供される、配合剤。
【請求項１４】
下記構造式の化合物、あるいは該化合物の塩、エステルまたはアミド：
【化１】
2014526448.tif 000001
式中、
Ｒ１＝Ｈ、ＯＨまたはＯＲ２であり、
Ｒ２＝アルキル、シクロアルキル、またはアリールである。
【請求項１５】
Ｒ２は、Ｃ1からＣ10アルキル、Ｃ1からＣ10シクロアルキル、またはＣ1からＣ10アリールである、請求項１４記載の化合物。
【請求項１６】
請求項１４または１５記載の化合物および／またはその塩、エステルまたはアミドを含む、医薬品として使用するための組成物。
【請求項１７】
請求項１４または１５記載の化合物および／またはその塩、エステルまたはアミドを含む、炎症に関与する細胞への抗アポトーシスシグナルを抑制するための組成物。
【請求項１８】
前記炎症に関与する細胞が、好中性顆粒球、マクロファージ、好酸性顆粒球、好塩基性顆粒球、肥満細胞、リンパ球、類上皮細胞、および樹枝状細胞からなる群より選択される、請求項１７記載の組成物。
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
治療上効果的な量の、（ａ）単離ヒトＦＧＦ２１ポリペプチド、または（ｂ）ＦＧＦ２１変異体ポリペプチドを含む、代謝障害の治療方法に使用するための薬学的組成物であって、前記方法は、治療を必要とする対象に前記組成物を投与することを含む、薬学的組成物。
【請求項２】
代謝障害が、１型糖尿病である、請求項１に記載の薬学的組成物。
【請求項３】
代謝障害が、脂質異常症である、請求項１に記載の薬学的組成物。
【請求項４】
代謝障害が、肥満である、請求項１に記載の薬学的組成物。
【請求項５】
代謝障害が、糖尿病性ネフロパシーである、請求項１に記載の薬学的組成物。
【請求項６】
代謝障害が、対象が１００ｍｇ／ｄＬ以上の空腹時血糖値を有する状態を含む、請求項１に記載の薬学的組成物。
【請求項７】
対象が、哺乳動物である、請求項１に記載の薬学的組成物。
【請求項８】
哺乳動物が、人間である、請求項７に記載の薬学的組成物。
【請求項９】
ヒトＦＧＦ２１ポリペプチドが、配列番号４および８の１つを含む、請求項１に記載の薬学的組成物。
【請求項１０】
ヒトＦＧＦ２１ポリペプチドが、配列番号３および７の１つによりコードされる、請求項１に記載の薬学的組成物。
【請求項１１】
ＦＧＦ２１変異体が、表１〜１３に示される突然変異から選択される、配列番号４または配列番号８の成熟ＦＧＦ２１配列における１つ以上の突然変異を含む、請求項１に記載の薬学的組成物。
【請求項１２】
薬学的に許容される担体と混合された前記ＦＧＦ２１ポリペプチドを含む、請求項１に記載の薬学的組成物。
【請求項１３】
前記方法が、投与の後の時点で対象の血糖値を決定するステップをさらに含む、請求項１に記載の薬学的組成物。
【請求項１４】
前記方法が、投与の後の時点で対象の血清インスリン値を決定するステップをさらに含む、請求項１に記載の薬学的組成物。
【請求項１５】
ヒトＦＧＦ２１ポリペプチドまたはヒトＦＧＦ２１変異体ポリペプチドが、
（ａ）１つ以上のＰＥＧ分子、および
（ｂ）Ｆｃポリペプチド
の１つ以上をさらに含む、請求項１に記載の薬学的組成物。
【請求項１６】
治療上効果的な量の、配列番号４および８の１つと少なくとも９０％の配列同一性を有するアミノ酸配列を含むヒトＦＧＦ２１ポリペプチドを含む、代謝障害の治療方法に使用するための薬学的組成物であって、前記方法は、治療を必要とする対象に前記組成物を投与することを含む、薬学的組成物。
【請求項１７】
代謝障害が、１型糖尿病である、請求項１６に記載の薬学的組成物。
【請求項１８】
代謝障害が、脂質異常症である、請求項１６に記載の薬学的組成物。
【請求項１９】
代謝障害が、肥満である、請求項１６に記載の薬学的組成物。
【請求項２０】
代謝障害が、糖尿病性ネフロパシーである、請求項１６に記載の薬学的組成物。
【請求項２１】
代謝障害が、対象が１００ｍｇ／ｄＬ以上の空腹時血糖値を有する状態を含む、請求項１６に記載の薬学的組成物。
【請求項２２】
対象が、哺乳動物である、請求項１６に記載の薬学的組成物。
【請求項２３】
哺乳動物が、人間である、請求項２２に記載の薬学的組成物。
【請求項２４】
ヒトＦＧＦ２１ポリペプチドが、薬学的に許容される担体と混合された前記ヒトＦＧＦ２１ポリペプチドを含む、請求項１６に記載の薬学的組成物。
【請求項２５】
前記方法が、投与の後の時点で対象の血糖値を決定するステップをさらに含む、請求項１６に記載の薬学的組成物。
【請求項２６】
前記方法が、投与の後の時点で対象の血清インスリン値を決定するステップをさらに含む、請求項２５に記載の薬学的組成物。
【請求項２７】
ＦＧＦ２１ポリペプチドが、表１〜１３に示される突然変異から選択される、配列番号４または８の成熟ＦＧＦ２１配列における１つ以上の突然変異を含む、請求項１６に記載の薬学的組成物。
【請求項２８】
ＦＧＦ２１ポリペプチドが、
（ａ）１つ以上のＰＥＧ分子、および
（ｂ）Ｆｃポリペプチド
の１つ以上をさらに含む、請求項１６に記載の薬学的組成物。
【請求項２９】
単離ヒトＦＧＦ２１ポリペプチドまたはＦＧＦ２１変異体ポリペプチドが、配列番号１０および１２の１つを含む、請求項１に記載の薬学的組成物。
【請求項３０】
単離ヒトＦＧＦ２１ポリペプチドまたはＦＧＦ２１変異体ポリペプチドが、配列番号３９および４１の１つを含む、請求項２９に記載の薬学的組成物。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
天然AHRリガンド依存性癌を治療および/または予防するための医薬組成物であって、前記癌に罹患した被験体に、治療上有効な量のAHR阻害剤を投与することを含み、ここで前記天然AHRリガンドがキヌレニンである、前記医薬組成物。
【請求項２】
前記癌が、脳腫瘍、好ましくは神経膠腫、黒色腫、結腸直腸腺癌、結腸癌、腎細胞癌、非小細胞肺癌（NSCLC）、乳癌、肝細胞癌、卵巣癌、頭頸部癌、膀胱癌、膵臓腺癌、中皮腫、および小細胞肺癌（SCLC）からなる一群から選択される、請求項１に記載の医薬組成物。
【請求項３】
前記AHR阻害剤が小分子化合物である、請求項１に記載の医薬組成物。
【請求項４】
前記小分子化合物が、植物性化合物またはその誘導体である、請求項３に記載の医薬組成物。
【請求項５】
前記植物性化合物またはその誘導体が、フラボンまたはその誘導体である、請求項４に記載の医薬組成物。
【請求項６】
前記フラボンまたはその誘導体が、3,4-ジメトキシフラボン、3エ-メトキシ-4エ-ニトロフラボン、4エ,5,7-トリヒドロキシフラボン（アピゲニン）、または1-メチル-N-[2-メチル-4-[2-(2-メチルフェニル)ジアゼニル]フェニル-1H-ピラゾール-5-カルボキサミドである、請求項４に記載の医薬組成物。
【請求項７】
前記植物性化合物またはその誘導体が、レスベラトロールもしくはその誘導体、エピガロカテキン、または没食子酸エピガロカテキンである、請求項４に記載の医薬組成物。
【請求項８】
前記小分子化合物が、下記の一般式（I）で特徴付けられる化合物、
【化１】
2014526450.tif 000001
[式中、
(i)    R1 およびR2 は互いに独立に、水素、またはC1 - C12アルキルである、
(ii)    R3 〜R11 は、互いに独立に、水素、C1 - C12 アルキル、ヒドロキシル、またはC1 - C12 アルコキシである、ならびに
(iii)    破線は二重結合または2つの水素のいずれかを表す]
である、請求項３に記載の医薬組成物。
【請求項９】
前記AHR阻害剤が、AHRタンパク質に特異的に結合して阻害する抗体である、請求項１に記載の医薬組成物。
【請求項１０】
前記AHR阻害剤が、AHRリプレッサータンパク質、または不活性なAHR核トランスロケーター（ARNT）である、請求項１に記載の医薬組成物。
【請求項１１】
前記AHR阻害剤が核酸阻害剤である、請求項１に記載の医薬組成物。
【請求項１２】
前記核酸リプレッサーが、AHRをコードするポリヌクレオチドに特異的に結合し、リボザイム、アンチセンス分子、阻害剤オリゴヌクレオチド、アプタマー、マイクロRNA、および低分子干渉RNA（siRNA）からなる一群から選択される、請求項１１に記載の医薬組成物。
【請求項１３】
天然AHRリガンド依存性癌の治療および/または予防のための医薬の製造におけるAHR阻害剤の使用であって、ここで前記天然AHRリガンドがキヌレニンである、前記使用。
【請求項１４】
前記AHR阻害剤が、請求項３〜１２のいずれか１つに記載のAHR阻害剤である、請求項１３に記載の使用。
【請求項１５】
前記癌が、脳腫瘍、好ましくは神経膠腫、黒色腫、結腸直腸腺癌、結腸癌、腎細胞癌、非小細胞肺癌（NSCLC）、乳癌、肝細胞癌、卵巣癌、頭頸部癌、膀胱癌、膵臓腺癌、中皮腫、および小細胞肺癌（SCLC）からなる一群から選択される癌である、請求項１３に記載の使用。
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
自動車（１０）のためのルーフ用荷物運搬ラック（２０）用の荷台脚（２１，２２）であって、該荷台脚（２１，２２）は長手方向の長さ（ＬＩ）、高さ（ＨＩ）、および幅（ＷＩ）を有する荷台バー（２３）と接続されるように形成されており、
前記荷台脚（２１，２２）は前記自動車（１０）の第１面に対して静止するように形成された支持面（２５）と、前記荷台バー（２３）を前記荷台脚（２１，２２）にロックするためのロック手段（４０）と、維持手段（３０）と、を具備し、該ロック手段（４０）は、少なくとも前記荷台バー（２３）の前記長手方向の長さ（ＬＩ）に沿って楔部材（４３）を、該楔部材（４３）が前記荷台バー（２３）を前記荷台脚（２１，２２）にロック位置において維持する維持位置へと移動させるように動作可能な伸長部材（４２）を具備しており、前記維持手段（３０）が前記荷台脚（２１，２２）を前記自動車（１０）に維持し、
前記ロック手段（４０）の前記伸長部材（４２）はさらに、前記維持手段（３０）を動作させるために配置された荷台脚において、
前記荷台脚（２１，２２）はキャビティ（８０）を備えた本体（２４）を具備し、前記キャビティ（８０）は前記荷台バー（２３）の少なくとも一部を受容するように形成されていることを特徴とする荷台脚。
【請求項２】
前記楔部材（４３）の移動の際に、前記楔部材（４３）は前記荷台バー（２３）の少なくとも１つの内表面（２７，２７ｕ，２７ｌ，２８，２９）に当接し、前記荷台バー（２３）をロック位置において前記荷台脚（２１，２２）に対して維持することを特徴とする請求項１に記載の荷台脚。
【請求項３】
前記楔部材（４３）の移動の際に、前記楔部材（４３）は前記荷台脚（２１，２２）の一部のような中間部材に当接し、該中間部材を前記荷台バー（２３）の少なくとも１つの内表面（２７，２７ｕ，２７ｌ，２８，２９）に向かって割り込ませ、これによって前記荷台バー（２３）をロック位置において前記荷台脚（２１，２２）に対して維持することを特徴とする請求項１または２に記載の荷台脚。
【請求項４】
前記荷台脚（２１，２２）の前記中間部材は移動可能なロック部材（４４，４５）によって形成されており、該移動可能なロック部材（４４，４５）は第１部分（４４ａ，４５ａ）と第２部分（４４ｂ，４５ｂ）とを具備し、前記第１部分（４４ａ，４５ａ）は前記第２部分（４４ｂ，４５ｂ）よりも大きい距離を移動するように形成されており、
前記楔部材（４３）は、前記維持位置に向かう前記移動の際に、前記移動可能なロック部材（４４，４５）の前記第１部分（４４ａ，４５ａ）から前記第２部分（４４ｂ，４５ｂ）への方向において移動するように形成されていることを特徴とする請求項３に記載の荷台脚。
【請求項５】
前記楔部材（４３）は、前記維持位置にある場合に、前記荷台バー（２３）の高さ（ＨＩ）に沿ったおよび／または前記荷台バー（２３）の幅（ＷＩ）に沿った力の成分を負荷し、前記楔部材（４３）が前記荷台バー（２３）をロック位置において前記荷台脚（２１，２２）に対して維持していることを特徴とする請求項１〜４のいずれか一項に記載の荷台脚。
【請求項６】
前記維持手段（３０）はクランプ部材（９０）を具備し、該クランプ部材（９０）は前記自動車（１０）の第１面と前記クランプ部材（９０）との間において前記伸長部材（４２）の動作の下でクランプ力を負荷し、これによって前記荷台脚（２１，２２）を前記自動車（１０）に対して維持していることを特徴とする請求項１〜５のいずれか一項に記載の荷台脚。
【請求項７】
前記クランプ部材（９０）はスレッジ（７０）を介して動作可能であり、前記楔部材（４３）は動作中に前記スレッジ（７０）と前記伸長部材（４１）を介して協働して、前記伸長部材（４１）の動作の下で、前記スレッジ（７０）と楔部材（４３）とは互いに対して移動され、好適に前記クランプ部材（９０）の少なくとも一部は、前記スレッジ（７０）に取外し可能に接続可能なように形成されていることを特徴とする請求項６に記載の荷台脚。
【請求項８】
前記スレッジ（７０）は前記荷台脚（２１，２２）にスライド可能に配置されていることを特徴とする請求項７に記載の荷台脚。
【請求項９】
前記スレッジ（７０）は、略Ｃ字状断面を備えた前記荷台脚（２１，２２）の一部においてスライドすることを特徴とする請求項７または８に記載の荷台脚。
【請求項１０】
前記スレッジは、前記荷台バー（２３）の長手方向の長さ（ＬＩ）に沿って移動されるように形成されていることを特徴とする請求項７〜９のいずれか一項に記載の荷台脚。
【請求項１１】
前記クランプ部材（９０）は、第１部分において前記荷台脚（２１，２２）および前記スレッジ（７０）に取り付けられており、好適に前記クランプ部材（９０）は、前記第１部分において前記荷台脚（２１，２２）におよび／または前記スレッジ（７０）に取外し可能に取り付けられていることを特徴とする請求項７〜１０のいずれか一項に記載の荷台脚。
【請求項１２】
前記伸長部材（４１）は、ネジ（４２）のような回転可能な伸長部材であり、好適に前記楔部材（４３）は前記伸長部材（４１）とネジ係合し、前記伸長部材（４１）の回転の下で、前記荷台バー（２３）の長手方向の長さ（ＬＩ）に沿った前記楔部材（４３）の移動が可能とされていることを特徴とする請求項１〜１１のいずれか一項に記載の荷台脚。
【請求項１３】
前記維持手段（３０）はスレッジ（７０）を介して操作可能であり、前記回転可能な伸長部材はスイベル接続部を介して前記スレッジ（７０）に接続されていることを特徴とする請求項１２に記載の荷台脚。
【請求項１４】
前記本体（２４）のキャビティ（８０）は少なくとも１つの移動可能なロック部材（４４，４５）と協働し、前記荷台バー（２３）をロック位置において前記荷台脚（２１，２２）に対して維持することを特徴とする請求項１に記載の荷台脚。
【請求項１５】
請求項１〜１４のいずれか一項に記載の荷台脚（２１，２２）と、荷台バー（２３）と、を具備した、自動車（１０）のためのルーフ用荷物運搬ラック（２０）。
【請求項１６】
前記荷台バー（２３）は上方内表面（２７ｕ）と下方内表面（２７ｌ）とを具備し、前記楔部材（４３）は前記荷台バー（２３）の前記上方内表面（２７ｕ）および前記下方内表面（２７ｌ）に向かって力の成分を負荷するように形成されていることを特徴とする請求項１５に記載のルーフ用荷物運搬ラック（２０）。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
アルミニウム含有材料を、約２６〜約４２重量％の濃度を有するＨＣｌにより浸出し、アルミニウムイオン及び固形物を含む浸出液を得て、さらに前記固形物を前記浸出液から分離するステップと、
前記浸出液をＨＣｌと反応させることでＡｌＣｌ３を含む沈殿物を得て、該ＡｌＣｌ３を多段階の結晶化プロセスにより処理して、液体及びＡｌＣｌ３・６Ｈ２Ｏの形態のアルミニウムイオンを含む結晶を得て、前記結晶を前記液体から分離するステップと、
ＡｌＣｌ３・６Ｈ２ＯをＡｌ２Ｏ３に変換するのに効果的な条件の下に前記結晶を加熱し、これにより副生成物として生じたガス状ＨＣｌを回収するステップであって、前記ＡｌＣｌ３・６Ｈ２ＯからＡｌ２Ｏ３への変換は２段階の焼成を含み、該焼成における第１段階では約３７５℃〜約４５０℃の温度の熱処理を含み、第２段階では約８５０℃〜約１２５０℃の温度の熱処理を含み、前記第１段階は第１の回転キルンで実行され、前記第２段階は第２の回転キルンで実行されるステップと、
前記副生成物として生じたガス状ＨＣｌを水と反応させて再利用し、約２５〜約４５重量％の濃度を有する組成物を得て、前記アルミニウム含有材料を浸出するのに前記組成物を使用するステップと
を有する、アルミナの調製方法。
【請求項２】
アルミニウム含有材料を、約２６〜約４２重量％の濃度を有するＨＣｌにより浸出し、アルミニウムイオン及び固形物を含む浸出液を得て、さらに前記固形物を前記浸出液から分離するステップと、
前記浸出液をＨＣｌと反応させることでＡｌＣｌ３を含む沈殿物を得て、該ＡｌＣｌ３を多重段階の結晶化プロセスにより処理して、液体及びＡｌＣｌ３・６Ｈ２Ｏの形態のアルミニウムイオンを含む結晶を得て、前記結晶を前記液体から分離するステップと、
ＡｌＣｌ３・６Ｈ２ＯをＡｌ２Ｏ３に変換するのに効果的な条件の下に前記結晶を加熱し、これにより副生成物として生じたガス状ＨＣｌを回収するステップであって、前記ＡｌＣｌ３・６Ｈ２ＯからＡｌ２Ｏ３への変換は２段階の焼成を含み、該焼成における第１段階では約３７５℃〜約４５０℃の温度の熱処理を含み、第２段階では約８５０℃〜約１２５０℃の温度の熱処理を含むステップと、
前記副生成物として生じたガス状ＨＣｌを再利用し、膜蒸留プロセスにより前記副生成物として生じたＨＣｌを浄化するステップと
を有する、アルミナの調製方法。
【請求項３】
アルミニウム含有材料を、約２６〜約４２重量％の濃度を有するＨＣｌにより浸出し、アルミニウムイオン及び固形物を含む浸出液を得て、さらに前記固形物を前記浸出液から分離するステップと、
前記浸出液をＨＣｌと反応させることでＡｌＣｌ３を含む沈殿物を得て、該ＡｌＣｌ３を多重段階の結晶化プロセスにより処理して、液体及びＡｌＣｌ３・６Ｈ２Ｏの形態のアルミニウムイオンを含む結晶を得て、前記結晶を前記液体から分離するステップと、
ＡｌＣｌ３・６Ｈ２ＯをＡｌ２Ｏ３に変換するのに効果的な条件の下に前記結晶を加熱し、これにより副生成物として生じたガス状ＨＣｌを回収するステップであって、前記ＡｌＣｌ３・６Ｈ２ＯからＡｌ２Ｏ３への変換は２段階の焼成を含み、該焼成における第１段階では約３７５℃〜約４５０℃の温度の熱処理を含み、第２段階では約８５０℃〜約１２５０℃の温度の熱処理を含み、前記第１段階は第１の回転キルンで実行され、前記第２段階は第２の回転キルンで実行されるステップと、
前記副生成物として生じたガス状ＨＣｌを、前記焼成により得られた前記ＨＣｌの凝結によって再利用し、前記アルミニウム含有材料を浸出するのに再利用された該ＨＣｌを再使用するステップと
を有する、アルミナの調製方法。
【請求項４】
前記アルミニウム含有材料が粘土から選択される、請求項１〜３のいずれか１項に記載の方法。
【請求項５】
前記アルミニウム含有材料が陶土から選択される、請求項１〜３のいずれか１項に記載の方法。
【請求項６】
前記第１の回転キルンは、天然ガスの動力源の回転キルンである、請求項１〜５のいずれか１項に記載の方法。
【請求項７】
前記第２の回転キルンは、天然ガスの動力源の回転キルンである、請求項１〜５のいずれか１項に記載の方法。
【請求項８】
前記ＡｌＣｌ３の結晶化中、前記液体を、約２５〜約３５重量％のＨＣｌ濃度に維持できる、請求項１〜７のいずれか１項に記載の方法。
【請求項９】
前記ＡｌＣｌ３の結晶化中、前記ＡｌＣｌ３の濃度が、約３０重量％である、請求項１〜８のいずれか１項に記載の方法。
【請求項１０】
前記第１段階が約３７５〜約４２５℃の温度の熱処理を含む、請求項１〜９のいずれか１項に記載の方法。
【請求項１１】
前記第１段階が約３８５〜約４００℃の温度の熱処理を含む、請求項１〜９のいずれか１項に記載の方法。
【請求項１２】
前記第２段階が約１０００〜約１２５０℃の温度の熱処理を含む、請求項１〜１１のいずれか１項に記載の方法。
【請求項１３】
前記アルミニウム含有材料を、約２８〜約４０重量％の濃度を有するＨＣｌにより浸出する、請求項１〜１２のいずれか１項に記載の方法。
【請求項１４】
前記アルミニウム含有材料を、約３０〜約３８重量％の濃度を有するＨＣｌにより浸出する、請求項１〜１２のいずれか１項に記載の方法。
【請求項１５】
前記アルミニウム含有材料を、２５〜３６重量％の濃度を有するＨＣｌにより浸出する、請求項１〜１２のいずれか１項に記載の方法。
【請求項１６】
水と反応させることで、前記副生成物として生じたガス状ＨＣｌを再利用し、約２８〜約４０重量％の濃度を有する前記組成物を得て、該組成物を使用して前記アルミニウム含有材料を浸出する、請求項１に記載の方法。
【請求項１７】
水と反応させることで、前記副生成物として生じたガス状ＨＣｌを再利用し、約３０〜約３８重量％の濃度を有する前記組成物を得て、該組成物を使用して前記アルミニウム含有材料を浸出する、請求項１に記載の方法。
【請求項１８】
水と反応させることで、前記副生成物として生じたガス状ＨＣｌを再利用し、２５〜３６重量％の濃度を有する前記組成物を得て、該組成物を使用して前記アルミニウム含有材料を浸出する、請求項１に記載の方法。
【請求項１９】
請求項１〜１２のいずれか１項に記載の方法によりアルミナを得るステップと、前記アルミナをアルミニウムに変換するステップとを含む、アルミニウムの調製方法。
【請求項２０】
請求項１〜１８のいずれか１項に記載の方法により調製されたアルミナ。
【請求項２１】
請求項１９に記載の方法により調製されたアルミニウム。
【請求項２２】
本明細書のいずれか１つ又は複数の実施例を参照して実質的に記載され、且つ、比較例を除く、請求項１〜３及び１９のいずれか１項に記載の方法、並びに請求項２０に記載のアルミナ及び請求項２１に記載のアルミニウム。
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
１０〜１５０アミノ酸、好ましくは１０〜１００アミノ酸を有する細胞内腫瘍性タンパク質の断片であるポリペプチドを含む、癌の処置または予防用の医薬組成物。
【請求項２】
ポリペプチドが、それを必要とする対象において抗細胞内腫瘍性タンパク質抗体の産生を刺激する、請求項１に記載の医薬組成物。
【請求項３】
ポリペプチドが、ＰＲＬ３、ＰＲＬ−１、ＶＨＺ、Ｈｅｒ２、エストロゲン受容体（ＥＲ）、ＨＢＶタンパク質、およびＨＢＶ  Ｘタンパク質からなる群より選択される、請求項１又は２に記載の医薬組成物。
【請求項４】
ポリペプチドが発癌性変異を含む断片である、請求項１〜３のいずれか１項に記載の医薬組成物。
【請求項５】
ポリペプチドが複数の断片を含む、請求項１〜４のいずれか１項に記載の医薬組成物。
【請求項６】
ポリペプチドが同じ腫瘍性タンパク質からの複数の断片を含む、請求項５に記載の医薬組成物。
【請求項７】
ポリペプチドが２以上の腫瘍性タンパク質からの複数の断片を含む、請求項５に記載の医薬組成物。
【請求項８】
癌転移を予防または低減するための、請求項１〜７のいずれか１項に記載の医薬組成物。
【請求項９】
細胞内腫瘍性タンパク質を発現する原発癌を有する患者に投与するための、請求項１〜８のいずれか１項に記載の医薬組成物。
【請求項１０】
ポリペプチドが、ＰＲＬ３、ＰＲＬ１、およびＶＨＺからなる群より選択される腫瘍性タンパク質の断片を含む、請求項１〜９のいずれか１項に記載の医薬組成物。
【請求項１１】
細胞内腫瘍性タンパク質が細胞外ドメインまたは膜貫通ドメインを含まない、請求項１〜１０のいずれか１項に記載の医薬組成物。
【請求項１２】
細胞内腫瘍性タンパク質が細胞質の腫瘍性タンパク質または核の腫瘍性タンパク質を含む、請求項１〜１１のいずれか１項に記載の医薬組成物。
【請求項１３】
癌が細胞内腫瘍性タンパク質の過剰発現と関係する、または細胞内腫瘍性タンパク質の過剰発現により引き起こされる、請求項１〜１２のいずれか１項に記載の医薬組成物。
【請求項１４】
癌が以下：乳癌、肝細胞癌、急性リンパ性白血病（ＡＬＬ）、急性骨髄性白血病（ＡＭＬ）、副腎皮質癌、肛門癌、膀胱癌、血液癌、骨癌、脳腫瘍、女性生殖器系の癌、男性生殖器系の癌、中枢神経系リンパ腫、子宮頸癌、小児横紋筋肉腫、小児期肉腫、慢性リンパ性白血病（ＣＬＬ）、慢性骨髄性白血病（ＣＭＬ）、結腸直腸癌、結腸癌、子宮内膜癌、子宮内膜肉腫、食道癌、眼癌、胆嚢癌、胃癌、胃腸管癌、有毛細胞白血病、頭頸部癌、ホジキン病、下咽頭癌、カポジ肉腫、腎臓癌、喉頭癌、白血病、肝臓癌、肺癌、悪性繊維性組織球腫、悪性胸腺腫、メラノーマ、中皮腫、多発性骨髄腫、骨髄腫、鼻腔および副鼻腔癌、鼻咽腔癌、神経系癌、神経芽細胞腫、非ホジキンリンパ腫、口腔癌、中咽頭癌、骨肉腫、卵巣癌、膵臓癌、副甲状腺癌、陰茎癌、咽頭癌、下垂体腫瘍、形質細胞新生物、原発性ＣＮＳリンパ腫、前立腺癌、直腸癌、呼吸器系、網膜芽細胞腫、唾液腺癌、皮膚癌、小腸癌、軟部組織肉腫、胃癌、精巣癌、甲状腺癌、泌尿器系癌、子宮肉腫、腟癌、血管系、ワルデンストレームマクログロブリン血症およびウィルムス腫瘍からなる群より選択される、請求項１〜１３に記載の医薬組成物。
【請求項１５】
細胞内腫瘍性タンパク質断片、またはその変異体、相同体もしくは誘導体を、薬学的に許容可能な賦形剤、希釈剤またはキャリヤーと一緒に含む、医薬組成物。
【請求項１６】
腫瘍性タンパク質が、エストロゲン受容体、ＨＢＶタンパク質、ＰＲＬ３、ＶＨＺ、Ｈｅｒ２、Ｋｒａｓ、ＥＧＦＲ、Ｂｒａｆ、ＰＩ３ＫＣＡ、ベータカテニン、ＧＮＡＳ、Ｒｅｔ、ＥＺＨ２、およびＧＮＡＱからなる群より選択される、請求項１５に記載の医薬組成物。
【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
２ｇのセフトロザン及び１ｇのタゾバクタムを含む医薬組成物を、静脈内投与する工程を含む、ヒトの肺炎を治療する方法。
【請求項２】
前記医薬組成物が８時間毎に約１回投与される、請求項１に記載の方法。
【請求項３】
２ｇのセフトロザンを含む医薬組成物を、８時間毎に約１回静脈内投与する工程を含む、ヒトの肺炎を治療する方法。
【請求項４】
更にタゾバクタムを前記ヒトに投与する工程を含む、請求項３に記載の方法。
【請求項５】
前記セフトロザンが遊離塩基の形態である、請求項１〜４のいずれか一項に記載の方法。
【請求項６】
前記セフトロザンが塩の形態である、請求項１〜４のいずれか一項に記載の方法。
【請求項７】
前記セフトロザンの塩がセフトロザン硫酸水素塩である、請求項６記載の方法。
【請求項８】
前記肺炎が院内肺炎である、請求項１〜７のいずれか一項に記載の方法。
【請求項９】
前記院内肺炎が院内感染性肺炎である、請求項８に記載の方法。
【請求項１０】
前記肺炎が人工呼吸器関連肺炎である、請求項１〜９のいずれか一項に記載の方法。
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
６−カルボキシ−２−（３，５−ジクロロフェニル）−ベンゾオキサゾールメグルミンの結晶形であって、１０．７±０．２、１１．８±０．２、および１３．３±０．２の回折角（２θ）にピークを含む粉末Ｘ線回折パターンを有する結晶形。
【請求項２】
６−カルボキシ−２−（３，５−ジクロロフェニル）−ベンゾオキサゾールメグルミンの結晶形であって、１０．７±０．２、１１．８±０．２、１３．３±０．２、および１４．８±０．２の回折角（２θ）にピークを含む粉末Ｘ線回折パターンを有する結晶形。
【請求項３】
６−カルボキシ−２−（３，５−ジクロロフェニル）−ベンゾオキサゾールメグルミンの結晶形であって、１０．７±０．２、１１．８±０．２、１３．３±０．２、１４．８±０．２、および２１．７±０．２の回折角（２θ）にピークを含む粉末Ｘ線回折パターンを有する結晶形。
【請求項４】
６−カルボキシ−２−（３，５−ジクロロフェニル）−ベンゾオキサゾールメグルミンの結晶形であって、１６２５±２、１５９６±２、および１５４８±２にラマンシフトピーク（ｃｍ−１）を含むラマンスペクトルを有する結晶形。
【請求項５】
６−カルボキシ−２−（３，５−ジクロロフェニル）−ベンゾオキサゾールメグルミンの結晶形であって、１６２５±２、１６１６±２、１５９６±２、および１５４８±２にラマンシフトピーク（ｃｍ−１）を含むラマンスペクトルを有する結晶形。
【請求項６】
６−カルボキシ−２−（３，５−ジクロロフェニル）−ベンゾオキサゾールメグルミンの結晶形であって、１５８１±２、１２７３±２、１０１０±２、９０６±２、および８７３±２に赤外シフトピーク（ｃｍ−１）を含む赤外スペクトルを有する結晶形。
【請求項７】
６−カルボキシ−２−（３，５−ジクロロフェニル）−ベンゾオキサゾールメグルミンの結晶形であって、１１２．６±０．２、１３３．９±０．２、および１７１．５±０．２に１３Ｃ化学シフト（ｐｐｍ）を含む固体ＮＭＲスペクトルを有する結晶形。
【請求項８】
６−カルボキシ−２−（３，５−ジクロロフェニル）−ベンゾオキサゾールメグルミンの結晶形であって、１６２５±２にラマンシフトピーク（ｃｍ−１）を含むラマンスペクトル；および１３３．９±０．２に１３Ｃ化学シフト（ｐｐｍ）を含む固体ＮＭＲスペクトルを有する結晶形。
【請求項９】
６−カルボキシ−２−（３，５−ジクロロフェニル）−ベンゾオキサゾールメグルミンの結晶形であって、１６２５±２にラマンシフトピーク（ｃｍ−１）を含むラマンスペクトル；および１７１．５±０．２に１３Ｃ化学シフト（ｐｐｍ）を含む固体ＮＭＲスペクトルを有する結晶形。
【請求項１０】
非吸湿性かつ無水である、請求項１から９のいずれか一項に記載の結晶形。
【請求項１１】
実質的に純粋である、請求項１から１０のいずれか一項に記載の結晶形。
【請求項１２】
請求項１から１１のいずれか一項に記載の結晶形を含む医薬組成物。
【請求項１３】
トランスサイレチンアミロイド疾患を治療するための、請求項１２に記載の医薬組成物。
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
癌を治療するための医薬品の製造のための、３−（Ｒ）−［３−（２−メトキシフェニルチオ）−２−（Ｓ）−メチル−プロピル］アミノ−３，４−ジヒドロ−２Ｈ−１，５−ベンゾオキサチエピンまたはその一つの薬学的に許容可能な塩の使用。
【請求項２】
癌転移を予防または治療するための医薬品の製造のための、請求項１に記載の使用。
【請求項３】
医薬品が、癌性腫瘍であって、該細胞が、とりわけ、Ｎａｖ１．５電位依存性ナトリウムチャネルを発現する１種以上の癌性腫瘍を呈する患者のための、請求項１または２の使用。
【請求項４】
医薬品が、乳、肺、前立腺、結腸、膀胱、卵巣、精巣、皮膚、甲状腺、または胃の癌に罹患している患者のためである、請求項１〜３のいずれか一項に記載の使用。
【請求項５】
癌を治療するための医薬品としての使用のための、活性物質としての、３−（Ｒ）−［３−（２−メトキシフェニルチオ）−２−（Ｓ）−メチル−プロピル］アミノ−３，４−ジヒドロ−２Ｈ−１，５−ベンゾオキサチエピンまたはその一つの薬学的に許容可能な塩と、少なくとも１種の薬学的に許容可能な賦形剤とを含有する、医薬組成物。
【請求項６】
癌転移を予防または治療するための、請求項５に記載の医薬組成物。
【請求項７】
癌性腫瘍であって、該細胞が、とりわけ、Ｎａｖ１．５電位依存性ナトリウムチャネルを発現する１種以上の癌性腫瘍を呈する患者に使用するための、請求項５または６に記載の医薬組成物。
【請求項８】
乳、肺、前立腺、結腸、膀胱、卵巣、精巣、皮膚、甲状腺、または胃の癌に罹患している患者に使用するための、請求項５〜７のいずれか一項に記載の医薬組成物。
【請求項９】
化学療法処置を受ける患者に使用するための、請求項５〜８のいずれか一項に記載の医薬組成物。
【請求項１０】
化学療法処置との関連での、同時使用、単独使用、または時差的使用のための、請求項９に記載の医薬組成物。
【請求項１１】
放射線療法処置および／または外科的処置を受ける患者に使用するための、請求項５〜８のいずれか一項に記載の医薬組成物。
【請求項１２】
放射線療法処置および／または外科的処置との関連での、同時使用、単独使用、または時差的使用のための、請求項１１に記載の医薬組成物。
【請求項１３】
化学療法処置ならびに放射線療法処置および／または外科的処置を受ける患者に使用するための、請求項５〜８のいずれか一項に記載の医薬組成物。
【請求項１４】
化学療法処置ならびに放射線療法処置および／または外科的処置との関連での、同時使用、単独使用、または時差的使用のための、請求項１３に記載の医薬組成物。
【請求項１５】
経口または静脈内投与のための、請求項５〜１４のいずれか一項に記載の医薬組成物。
【請求項１６】
１〜１０００ｍｇの間の、３−（Ｒ）−［３−（２−メトキシフェニルチオ）−２−（Ｓ）−メチル−プロピル］アミノ−３，４−ジヒドロ−２Ｈ−１，５−ベンゾオキサチエピンまたはその一つの薬学的に許容可能な塩の１日用量単位形態である、請求項５〜１５のいずれか一項に記載の医薬組成物。
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
タッチセンサと、
前記タッチセンサの少なくとも一部の下方に配置されたディスプレイデバイスと、
前記ディスプレイデバイスの少なくとも一つのアドレシング特性に従って、前記ディスプレイデバイスの干渉特性の変化を生じさせるように前記ディスプレイデバイスの複数のディスプレイ行のアドレシングを行うことができるアドレシング回路と、
前記干渉特性の変化に少なくとも部分的に基づいて、サンプリングレート又は感度閾値を含む前記タッチセンサの少なくとも一つの感知特性を調節することができる感知回路とを備えたタッチ感知ディスプレイデバイス。
【請求項２】
前記感知回路が、前記少なくとも一つのアドレシング特性又は前記干渉特性に基づいて感知を行うことができる、請求項１に記載のタッチ感知ディスプレイデバイス。
【請求項３】
前記アドレシングが、前記干渉特性を増大させる、請求項１に記載のタッチ感知ディスプレイデバイス。
【請求項４】
前記感知回路が、前記少なくとも一つの感知特性を低減させるように構成されている、請求項３に記載のタッチ感知ディスプレイデバイス。
【請求項５】
前記アドレシングが、前記干渉特性を低減させる、請求項１に記載のタッチ感知ディスプレイデバイス。
【請求項６】
前記感知回路が、前記少なくとも一つの感知特性を増大させるように構成されている、請求項５に記載のタッチ感知ディスプレイデバイス。
【請求項７】
前記少なくとも一つの感知特性が、信号対ノイズ比を含む、請求項１に記載のタッチ感知ディスプレイデバイス。
【請求項８】
前記アドレシング特性が、アドレシング領域を識別する情報を含む、請求項１に記載のタッチ感知ディスプレイデバイス。
【請求項９】
前記アドレシング特性がアップデート速度を含む、請求項１に記載のタッチ感知ディスプレイデバイス。
【請求項１０】
前記ディスプレイデバイスが干渉変調器を含む、請求項１に記載のタッチ感知ディスプレイデバイス。
【請求項１１】
前記感知回路に結合された一つ以上のストレージデバイスに記憶されたルックアップテーブルを更に備え、前記ルックアップテーブルが、前記少なくとも一つのアドレシング特性及び前記少なくとも一つの感知特性を含む、請求項１に記載のタッチ感知ディスプレイデバイス。
【請求項１２】
前記ディスプレイデバイスと通信して画像データを処理することができるプロセッサと、
前記プロセッサと通信することができるメモリデバイスとを更に備えた請求項１に記載のタッチ感知ディスプレイデバイス。
【請求項１３】
前記ディスプレイデバイスに少なくとも一つの信号を送信することができるドライバ回路を更に備えた請求項１２に記載のタッチ感知ディスプレイデバイス。
【請求項１４】
前記ドライバ回路に前記画像データの少なくとも一部を送信することができるコントローラを更に備えた請求項１３に記載のタッチ感知ディスプレイデバイス。
【請求項１５】
入力データを受信して前記プロセッサに前記入力データを送信することができる入力デバイスを更に備えた請求項１２に記載のタッチ感知ディスプレイデバイス。
【請求項１６】
前記入力デバイスがタッチセンサを備える、請求項１５に記載のタッチ感知ディスプレイデバイス。
【請求項１７】
前記プロセッサに前記画像データを送信することができる画像ソースモジュールを更に備えた請求項１２に記載のタッチ感知ディスプレイデバイス。
【請求項１８】
前記画像ソースモジュールが、受信機、送受信機及び送信機のうちの少なくとも一つを備える、請求項１７に記載のタッチ感知ディスプレイデバイス。
【請求項１９】
タッチ入力を感知するための感知手段と、
前記感知手段の少なくとも一部の下方に配置された情報を表示するための手段と、
前記情報を表示するための手段をアドレスするためのアドレシング手段と、
前記情報を表示するための手段の干渉特性を変更するように前記情報を表示するための手段の少なくとも一つのアドレシング特性を調節するための手段と、
前記アドレシング特性及び前記干渉特性の少なくとも一方に少なくとも部分的に基づいて、前記感知手段の少なくとも一つの感知特性を調節するための手段とを備えたタッチ感知ディスプレイデバイス。
【請求項２０】
前記アドレシング手段がアドレシング回路を含む、請求項１９に記載のタッチ感知ディスプレイデバイス。
【請求項２１】
前記感知手段が感知回路を含む、請求項１９に記載のタッチ感知ディスプレイデバイス。
【請求項２２】
前記感知手段が、調節された感知特性に基づいて感知を行うことができる、請求項１９に記載のタッチ感知ディスプレイデバイス。
【請求項２３】
前記アドレシング手段が、前記干渉特性が増大するように前記少なくとも一つのアドレシング特性を調節することができる、請求項１９に記載のタッチ感知ディスプレイデバイス。
【請求項２４】
前記感知手段が、前記少なくとも一つの感知特性を低減させることができる、請求項２３に記載のタッチ感知ディスプレイデバイス。
【請求項２５】
前記アドレシング手段が、前記干渉特性が低減するように前記少なくとも一つのアドレシング特性を調節することができる、請求項１９に記載のタッチ感知ディスプレイデバイス。
【請求項２６】
前記感知手段が、前記少なくとも一つの感知特性を増大させることができる、請求項２５に記載のタッチ感知ディスプレイデバイス。
【請求項２７】
タッチセンサの少なくとも一部の下方に配置されたディスプレイの干渉特性を変更するように該ディスプレイの少なくとも一つのアドレシング特性を調節するステップと、
前記アドレシング特性又は前記干渉特性に少なくとも部分的に基づいて、前記タッチセンサの少なくとも一つの感知特性を調節するステップと、
調節された感知特性に基づいて、感知を行うステップとを備えた方法。
【請求項２８】
前記少なくとも一つのアドレシング特性を調節するステップが、前記干渉特性を増大させる、請求項２７に記載の方法。
【請求項２９】
前記少なくとも一つの感知特性が低減する、請求項２８に記載の方法。
【請求項３０】
前記少なくとも一つのアドレシング特性を調節するステップが、前記干渉特性を低減させる、請求項２７に記載の方法。
【請求項３１】
前記少なくとも一つの感知特性が増大する、請求項３０に記載の方法。